(57)【要約】【課題】電動工具を使用する際に同時にトルク調整を行なうことを可能にする電動工具を装着可能なトルク調整構造を提供する。【解決手段】電動工具３０を装着可能なトルク調整構造は、装着装置１１およびトルク装置２１を備える。装着装置１１は、頭部１２および胴部１３を有する。頭部１２は嵌合溝１４を有し、嵌合溝１４は電動工具３０の嵌合に用いられ、かつ底部に電源座１５を有し、電源座１５は電動工具３０との電気的接続に用いる電源接点１６を有するため、電動工具３０を起動する際に必要な電力源を供給することが可能である。トルク装置２１は、作動部２２および調整部２３を有する。作動部２２は一端が装着装置１１の胴部１３に連結され、他端が調整部２３に連結される。【選択図】  図１
0003152127.tif 000002
【実用新案登録請求の範囲】
【請求項１】
装着装置およびトルク装置を備える電動工具を装着可能なトルク調整構造であって、
前記装着装置は、頭部および胴部を有し、前記頭部は嵌合溝を有し、前記嵌合溝は前記電動工具の嵌合に用いられ、かつ底部に電源座を有し、該電源座は電動工具との電気的接続に用いる電源接点を有し、
前記トルク装置は、作動部および調整部を有し、前記作動部は一端が前記装着装置の前記胴部に連結され、他端が前記調整部に連結されることを特徴とする電動工具を装着可能なトルク調整構造。
【請求項２】
前記装着装置の前記嵌合溝の中に前記電動工具を緊密に取り付けるため、前記嵌合溝の内部形状が前記電動工具の外部形状に対応することを特徴とする請求項１に記載の電動工具を装着可能なトルク調整構造。
【請求項３】
前記頭部は、少なくとも一側に前記嵌合溝と連続する開口部を有し、前記電動工具は起動スイッチを有し、かつ前記電動工具が前記装着装置の前記嵌合溝の中に装着される際、前記起動スイッチと前記頭部の前記開口部とが互いに対応することを特徴とする請求項１に記載の電動工具を装着可能なトルク調整構造。
【請求項４】
前記電動工具は、電気接続端を有し、前記電源座は外接電源プラグを有し、前記電動工具が前記嵌合溝の中に装着される際、前記底座の前記電源接点と前記電動工具の前記電気接続端とが互いに接続することを特徴とする請求項１に記載の電動工具を装着可能なトルク調整構造。
【請求項５】
前記装着装置の前記頭部は側辺に突出する若干のフック部を有し、前記装着装置の前記胴部は前記トルク装置の支持機構から遠く離れる一端に電池座を有し、該電池座は前記フック部に対応する接合部を有し、前記頭部の前記フック部と前記電池座の前記接合部とは互いに連結することによって前記頭部の前記電源座と前記電池座とを電気的に接続させることを特徴とする請求項１に記載の電動工具を装着可能なトルク調整構造。
【請求項６】
前記作動部は、中空の管状を呈し、内部に支持機構を有し、該支持機構は頂部、弾性ユニットおよび固定座を備え、前記頂部は上端が前記装着装置の前記胴部に嵌合され、下端が前記弾性ユニットの一端に連結され、前記弾性ユニットの他端は前記固定座に連結され、前記固定座は前記調整部に連結され、前記調整部は、作業の需要に応じトルクのポンド数を調整することによって支持機構の前記弾性ユニットを圧迫するため、支持機構の前記弾性ユニットはトルクのポンド数の大きさの調整によって圧縮されるか解放されることを特徴とする請求項１に記載の電動工具を装着可能なトルク調整構造。
【考案の詳細な説明】
【技術分野】
【０００１】
本考案は、トルク調整構造に関し、詳しくは、電動工具を装着可能なトルク調整構造に関するものである。
【背景技術】
【０００２】
電動工具は自動車修繕業者および機械業者がよく使用している工具である。電動工具は締付または緩め作業に用いられ、外接電源によって駆動する。従来の電動工具はトルク調整装置が配置されていなかったため、正確なトルクによって締め付ける必要がある箇所、例えばエンジンのハウジング、シリンダーまたはクラッチなどを締め付ける際、手動のトルクレンチを使用しなければならない。このため作業効率が上がらず、作業時間が延びてしまう。従って、如何に上述の欠点を改善するかということが本考案の最も解決したい課題である。
【考案の概要】
【考案が解決しようとする課題】
【０００３】
本考案の主な目的は、電動工具を使用する際に同時にトルク調整を行なうことを可能にする電動工具を装着可能なトルク調整構造を提供することである。
【課題を解決するための手段】
【０００４】
上述の目的を達成するために、本考案による電動工具を装着可能なトルク調整構造は、装着装置およびトルク装置を備える。
【０００５】
装着装置は、頭部および胴部を有する。頭部は嵌合溝を有し、嵌合溝は電動工具の嵌合に用いられ、かつ底部に電源座を有し、電源座は電動工具との電気的接続に用いる電源接点を有するため、電動工具を起動する際に必要な電力源を供給することが可能である。
【０００６】
トルク装置は、作動部および調整部を有する。作動部は一端が装着装置の胴部に連結され、他端が調整部に連結される。
【図面の簡単な説明】
【０００７】
【図１】本考案の一実施形態のトルク調整構造の立体図である。
【図２】電動工具に本考案の一実施形態のトルク調整構造を装着し、使用する状態を示す立体図である。
【図３】本考案の一実施形態のトルク調整構造を使用する際の状態を示す断面図である。
【図４】本考案の別の実施形態のトルク調整構造を示す立体図である。
【図５】電動工具に本考案の別の実施形態のトルク調整構造を装着し、使用する状態を示す断面図である。
【考案を実施するための形態】
【０００８】
（一実施形態）
以下、図に示す本考案の一実施形態の構造は、説明のための一例に過ぎず、請求範囲を制限することはできない。
【０００９】
図１と図２に示すように、本考案による電動工具を装着可能なトルク調整構造は、装着装置１１およびトルク装置２１を備える。
【００１０】
装着装置１１は、頭部１２および細長い柄状を呈する胴部１３を有する。装着装置１１の頭部１２は、内部が陥没して形成された中空の嵌合溝１４を有する。本実施形態において、頭部１２は少なくとも一側に嵌合溝１４と連続する開口部１２１を有する。装着装置１１の嵌合溝１４中に電動工具３０を緊密に取り付けるため、嵌合溝１４の内部形状が電動工具３０の外部形状に対応する。嵌合溝１４は底部に電源座１５を有し、電源座１５は電動工具３０の電気接続端３１との電気的接続に用いる電源接点１６を有する。電源座１５は外接電源プラグによって電力源を獲得することが可能である。電動工具３０が嵌合溝１４に装着される際、底座の電源接点１６と電動工具３０の電気接続端３１とが互いに接続するため、電動工具３０を起動する際に必要な電力源を供給することが可能である。電動工具３０は起動スイッチ３２を有する。電動工具３０が装着装置１１の嵌合溝１４中に装着される際、起動スイッチ３２と頭部１１の開口部１２１とが互いに対応する。
【００１１】
トルク装置２１は、作動部２２および調整部２３を有する。作動部２２は中空の管状を呈し、内部に支持機構２４を有する。支持機構２４は頂部２４１、弾性ユニット２４２および固定座２４３から構成される。頂部２４１は上端が装着装置１１の胴部１３に嵌合され、下端が弾性ユニット２４２の一端に連結される。弾性ユニット２４２の他端は固定座２４３に連結され、固定座２４３は調整部２３に連結される。調整部２３は、作業の需要に応じトルクのポンド数を調整することによって支持機構２４の弾性ユニット２４２を圧迫するため、支持機構２４の弾性ユニット２４２はトルクのポンド数の大きさの調整によって圧縮されるか解放される。
【００１２】
図３に示すように、上述したユニットから構成される本考案を使用する際、まず装着装置１１の嵌合溝１４中に電動工具３０を緊密に装着し、電源座１５の電源接点１６と電動工具３０の電気接続端３１とを互いに接続させれば、電源座１５から供給される電力によって電動工具３０をスムーズに起動することが可能である。操作者が電動工具３０を使用してねじまたはナットの締付または緩め作業を行い、かつ予め設定したトルクのポンド数に達した際、支持機構２４の弾性ユニット２４２から供給された嵌合力が足りないため、装着装置１１の胴部１３の下端は支持機構２４の頂部２４１から逸脱し、電動工具３０はねじまたはナットの締付または緩め作業を進めることができなくなる。このため、使用を誤ったことが原因でねじまたはナットなどの締付ユニットが過度に圧迫されてしまうという現象を避け、かつ電動工具３０を使用する際に同時にトルク調整を行なう効果を果たすことが可能である。また本実施形態は電動工具３０を緊密に装着する方法を採用するため、本考案によるトルク調整構造は、電動工具３０の着脱を行なう際に非常に迅速かつ便利である。
【００１３】
（他の実施形態）
図４および図５に示すのは本考案の別の実施形態である。上述した実施形態との違いは次の通りである。装着装置１１の頭部１２は側辺に突出する若干のフック部１２２を有する。装着装置１１の胴部１３はトルク装置２１の支持機構２４から遠く離れる一端に電池座４１を有し、電池座４１はフック部１２２に対応する接合部４１１を有する。頭部１２のフック部１２２と電池座４１の接合部４１１とが互いに連結することによって頭部１２の電源座１５と電池座４１中の電池４２とを電気的に接続させ、電源座１５に電力を供給することが可能である。このため、本考案によるトルク調整構造は、外接電源コードを必要とせず、電源コードが操作に干渉するということが発生しない。従って、本考案は操作上の順調さおよび便利さを兼ね備える。
【００１４】
上述した詳細な説明により、本考案による電動工具を装着可能なトルク調整構造は、電動工具を使用する際に同時にトルク調整を行なう効果を果たすことが可能だけでなく、電動工具の脱着を行なう際、非常に迅速かつ便利である。本考案は類似製品と較べて相当な進歩性および実用性を有し、実用新案登録請求の条件を満たしたため、法に従って実用新案登録を請求する。
【符号の説明】
【００１５】
１１：装着装置、  １２：頭部、  １２１：開口部、  １２２：フック部、１３：胴部、  １４：嵌合溝、  １５：電源座、  １６：電源接点、  １７：電源プラグ、  ２１：トルク装置、  ２２：作動部、  ２３：調整部、  ２４：支持機構、  ２４１：頂部、  ２４２：弾性ユニット、  ２４３：固定座、  ３０：電動工具、  ３１：電気接続端、  ３２：起動スイッチ、  ４１：電池座、  ４１１：接合部、  ４２：電池
【図１】
0003152127.tif 000003
【図２】
0003152127.tif 000004
【図３】
0003152127.tif 000005
【図４】
0003152127.tif 000006
【図５】
0003152127.tif 000007
【手続補正書】
【提出日】平成21年5月18日(2009.5.18)
【手続補正１】
【補正対象書類名】実用新案登録請求の範囲
【補正対象項目名】全文
【補正方法】変更
【補正の内容】
【実用新案登録請求の範囲】
【請求項１】
電動工具を装着可能な装着装置と、この装着装置に接続するトルク装置とを備えたトルク調整装置であって、
前記装着装置は、頭部および胴部を一体で有し、
前記頭部は、前記電動工具の嵌合に用いられる嵌合溝を有し、かつ底部に電源座を有し、該電源座は電動工具との電気的接続に用いる電源接点を有し、
前記トルク装置は、作動部および調整部を有し、
前記作動部は、一端が前記胴部と嵌合可能であり、他端が前記調整部に連結され、
前記調整部は、前記作動部と前記胴部とが嵌合する嵌合力を印加し、
前記電動工具の作動により前記頂部と前記胴部との嵌合部分に作用するトルクが前記頂部と前記胴部との嵌合力に達した際、前記頂部と前記胴部との嵌合が外れることで前記電動工具の作動により生じるトルクを調整可能なことを特徴とするトルク調整装置。
【請求項２】
前記装着装置の前記嵌合溝の中に前記電動工具を緊密に取り付けるため、前記嵌合溝の内部形状が前記電動工具の外部形状に対応することを特徴とする請求項１に記載のトルク調整装置。
【請求項３】
前記頭部は、少なくとも一側に前記嵌合溝と連続する開口部を有し、前記電動工具は起動スイッチを有し、かつ前記電動工具が前記装着装置の前記嵌合溝の中に装着される際、前記起動スイッチと前記頭部の前記開口部とが互いに対応することを特徴とする請求項１に記載のトルク調整装置。
【請求項４】
前記電動工具は、電気接続端を有し、前記電源座は外接電源プラグを有し、前記電動工具が前記嵌合溝の中に装着される際、前記電源接点と前記電動工具の前記電気接続端とが互いに接続することを特徴とする請求項１に記載のトルク調整装置。
【請求項５】
前記装着装置の前記頭部は側辺に突出する若干のフック部を有し、前記装着装置の前記胴部は前記トルク装置の支持機構から遠く離れる一端に電池座を有し、該電池座は前記フック部に対応する接合部を有し、前記頭部の前記フック部と前記電池座の前記接合部とは互いに連結することによって前記頭部の前記電源座と前記電池座とを電気的に接続させることを特徴とする請求項１に記載のトルク調整装置。
【請求項６】
前記作動部は、中空の管状を呈し、内部に支持機構を有し、
該支持機構は、頂部、弾性ユニットおよび固定座を備え、
前記頂部は、上端が中空の管状内で前記胴部に嵌合可能であり、下端が前記弾性ユニットの一端に連結され、
前記弾性ユニットは、他端が前記固定座に連結され、
前記固定座は、前記調整部に連結され、
前記調整部は、作業の需要に応じトルクのポンド数を調整することによって前記固定座を経由して前記弾性ユニットを圧迫することで、前記弾性ユニットの反力により前記頂部と前記胴部とが嵌合する嵌合力を印加し、
前記電動工具の作動により、前記頂部と前記胴部との嵌合部分に作用するトルクが、前記頂部と前記胴部との嵌合力に達した際、前記頂部と前記胴部との嵌合が外れることを特徴とする請求項１に記載のトルク調整装置。
【手続補正２】
【補正対象書類名】明細書
【補正対象項目名】全文
【補正方法】変更
【補正の内容】
【考案の詳細な説明】
【技術分野】
【０００１】
本考案は、トルク調整装置に関し、詳しくは、電動工具を装着可能なトルク調整装置に関するものである。
【背景技術】
【０００２】
電動工具は自動車修繕業者および機械業者がよく使用している工具である。電動工具は締付または緩め作業に用いられ、外接電源によって駆動する。従来の電動工具はトルク調整装置が配置されていなかったため、正確なトルクによって締め付ける必要がある箇所、例えばエンジンのハウジング、シリンダーまたはクラッチなどを締め付ける際、手動のトルクレンチを使用しなければならない。このため作業効率が上がらず、作業時間が延びてしまう。従って、如何に上述の欠点を改善するかということが本考案の最も解決したい課題である。
【考案の概要】
【考案が解決しようとする課題】
【０００３】
本考案の主な目的は、電動工具を使用する際に同時にトルク調整を行なうことを可能にするトルク調整装置を提供することである。
【課題を解決するための手段】
【０００４】
上述の目的を達成するために、本考案によるトルク調整装置は、装着装置およびトルク装置を備える。
【０００５】
装着装置は、頭部および胴部を有する。頭部は嵌合溝を有し、嵌合溝は電動工具の嵌合に用いられ、かつ底部に電源座を有し、電源座は電動工具との電気的接続に用いる電源接点を有するため、電動工具を起動する際に必要な電力源を供給することが可能である。
【０００６】
トルク装置は、作動部および調整部を有する。作動部は一端が装着装置の胴部に連結され、他端が調整部に連結される。
【図面の簡単な説明】
【０００７】
【図１】本考案の一実施形態のトルク調整装置の立体図である。
【図２】電動工具に本考案の一実施形態のトルク調整装置を装着し、使用する状態を示す立体図である。
【図３】本考案の一実施形態のトルク調整装置を使用する際の状態を示す断面図である。
【図４】本考案の別の実施形態のトルク調整装置を示す立体図である。
【図５】電動工具に本考案の別の実施形態のトルク調整装置を装着し、使用する状態を示す断面図である。
【考案を実施するための形態】
【０００８】
（一実施形態）
以下、図に示す本考案の一実施形態のトルク調整装置は、説明のための一例に過ぎず、請求範囲を制限することはできない。
【０００９】
図１と図２に示すように、本考案による電動工具を装着可能なトルク調整装置は、装着装置１１およびトルク装置２１を備える。
【００１０】
装着装置１１は、頭部１２および細長い柄状を呈する胴部１３を有する。装着装置１１の頭部１２は、内部が陥没して形成された中空の嵌合溝１４を有する。本実施形態において、頭部１２は少なくとも一側に嵌合溝１４と連続する開口部１２１を有する。装着装置１１の嵌合溝１４中に電動工具３０を緊密に取り付けるため、嵌合溝１４の内部形状が電動工具３０の外部形状に対応する。嵌合溝１４は底部に電源座１５を有し、電源座１５は電動工具３０の電気接続端３１との電気的接続に用いる電源接点１６を有する。電源座１５は外接電源プラグによって電力源を獲得することが可能である。電動工具３０が嵌合溝１４に装着される際、底座の電源接点１６と電動工具３０の電気接続端３１とが互いに接続するため、電動工具３０を起動する際に必要な電力源を供給することが可能である。電動工具３０は起動スイッチ３２を有する。電動工具３０が装着装置１１の嵌合溝１４中に装着される際、起動スイッチ３２と頭部１１の開口部１２１とが互いに対応する。
【００１１】
トルク装置２１は、作動部２２および調整部２３を有する。作動部２２は中空の管状を呈し、内部に支持機構２４を有する。支持機構２４は頂部２４１、弾性ユニット２４２および固定座２４３から構成される。頂部２４１は上端が装着装置１１の胴部１３に嵌合され、下端が弾性ユニット２４２の一端に連結される。弾性ユニット２４２の他端は固定座２４３に連結され、固定座２４３は調整部２３に連結される。調整部２３は、作業の需要に応じトルクのポンド数を調整することによって支持機構２４の弾性ユニット２４２を圧迫するため、支持機構２４の弾性ユニット２４２はトルクのポンド数の大きさの調整によって圧縮されるか解放される。
【００１２】
図３に示すように、上述したユニットから構成される本考案を使用する際、まず装着装置１１の嵌合溝１４中に電動工具３０を緊密に装着し、電源座１５の電源接点１６と電動工具３０の電気接続端３１とを互いに接続させれば、電源座１５から供給される電力によって電動工具３０をスムーズに起動することが可能である。操作者が電動工具３０を使用してねじまたはナットの締付または緩め作業を行い、かつ予め設定したトルクのポンド数に達した際、支持機構２４の弾性ユニット２４２から供給された嵌合力が足りないため、装着装置１１の胴部１３の下端は支持機構２４の頂部２４１から逸脱し、電動工具３０はねじまたはナットの締付または緩め作業を進めることができなくなる。このため、使用を誤ったことが原因でねじまたはナットなどの締付ユニットが過度に圧迫されてしまうという現象を避け、かつ電動工具３０を使用する際に同時にトルク調整を行なう効果を果たすことが可能である。また本実施形態は電動工具３０を緊密に装着する方法を採用するため、本考案によるトルク調整装置は、電動工具３０の着脱を行なう際に非常に迅速かつ便利である。
【００１３】
（他の実施形態）
図４および図５に示すのは本考案の別の実施形態である。上述した実施形態との違いは次の通りである。装着装置１１の頭部１２は側辺に突出する若干のフック部１２２を有する。装着装置１１の胴部１３はトルク装置２１の支持機構２４から遠く離れる一端に電池座４１を有し、電池座４１はフック部１２２に対応する接合部４１１を有する。頭部１２のフック部１２２と電池座４１の接合部４１１とが互いに連結することによって頭部１２の電源座１５と電池座４１中の電池４２とを電気的に接続させ、電源座１５に電力を供給することが可能である。このため、本考案によるトルク調整装置は、外接電源コードを必要とせず、電源コードが操作に干渉するということが発生しない。従って、本考案は操作上の順調さおよび便利さを兼ね備える。
【００１４】
上述した詳細な説明により、本考案による電動工具を装着可能なトルク調整装置は、電動工具を使用する際に同時にトルク調整を行なう効果を果たすことが可能だけでなく、電動工具の脱着を行なう際、非常に迅速かつ便利である。本考案は類似製品と較べて相当な進歩性および実用性を有し、実用新案登録請求の条件を満たしたため、法に従って実用新案登録を請求する。
【符号の説明】
【００１５】
１１：装着装置、  １２：頭部、  １２１：開口部、  １２２：フック部、１３：胴部、  １４：嵌合溝、  １５：電源座、  １６：電源接点、  １７：電源プラグ、  ２１：トルク装置、  ２２：作動部、  ２３：調整部、  ２４：支持機構、  ２４１：頂部、  ２４２：弾性ユニット、  ２４３：固定座、  ３０：電動工具、  ３１：電気接続端、  ３２：起動スイッチ、  ４１：電池座、  ４１１：接合部、  ４２：電池